(57)【要約】【課題】ＩＡＢＰの使用時であっても被験者自身の観血式血圧値を正確に把握すること。【解決手段】心電図測定手段１１は、被験者の心電図を測定する。血圧波形測定手段１２は、被験者に対して観血的な手法で血圧波形を測定する。自己心拍血圧算出手段１３は、心電図から心臓の一心周期を検出し、当該一心周期内の血圧波形の血圧極大値の検出状態に基づいて、被験者自身の収縮期圧及び拡張末期血圧の少なくとも一方を算出する。【選択図】図１
2018057880.tif 000002
【特許請求の範囲】
【請求項１】
被験者の心拍に関する心拍情報を検出する拍動情報検出手段と、
前記被験者の血圧波形を観血的な手法で測定する血圧波形測定手段と、
前記心拍情報から心臓の一心周期を検出し、
ｎ回（ｎは１以上の自然数）の心周期の中で１回のバルーンアシストが行われているかを示すアシスト比と、前記一心周期での前記血圧波形のピークと、に基づいて、前記被験者自身の収縮期圧、前記被験者自身の拡張末期圧、ＩＡＢＰ（大動脈バルーンパンピング）のオーグメンテーション圧、ＩＡＢＰによってアシストされた収縮期圧、及びＩＡＢＰによってアシストされた拡張末期圧、の少なくとも一つを算出する算出手段と、を備える生体情報測定装置。
【請求項２】
前記アシスト比は、前記一心周期での前記血圧波形の血圧極大値の検出回数から推定される、または明示的に入力される、ことを特徴とする請求項１に記載の生体情報測定装置。
【請求項３】
前記算出手段は、
前記アシスト比が１：ｍ（ｍは２以上の自然数）であって前記一心周期に２つの血圧極大値がある場合、最初に現れる血圧極大値を前記被験者自身の収縮期圧とし、２つめの血圧極大値をＩＡＢＰのオーグメンテーション圧とし、
前記アシスト比が１：ｍ（ｍは２以上の自然数）であって前記一心周期に１つの血圧極大値のみがある場合、当該血圧極大値をＩＡＢＰによってアシストされた収縮期圧とし、
前記アシスト比が１：１である場合、前記一心周期において最初に現れる血圧極大値をＩＡＢＰによってアシストされた収縮期圧とし、次に現れる血圧極大値をＩＡＢＰのオーグメンテーション圧とする、
ことを特徴とする請求項１又は請求項２に記載の生体情報測定装置。
【請求項４】
前記心拍情報は心電図であり、
前記算出手段は、前記心電図からＱＲＳ波を検出し、当該ＱＲＳ波の検出点を基準として各圧値を算出する、ことを特徴とする請求項１〜３のいずれか１項に記載の生体情報測定装置。
【請求項５】
前記血圧波形を時系列グラフとして表示するとともに、前記被験者自身の収縮期圧／拡張末期圧を表示する出力手段、を更に有する、
請求項１〜４のいずれか１項に記載の生体情報測定装置。
【請求項６】
被験者の心拍に関する心拍情報を検出する拍動情報検出ステップと、
前記被験者に観血的な手法を用いて取得した血圧信号を基に血圧波形を得る血圧測定ステップと、
前記心拍情報から心臓の一心周期を検出し、ｎ回（ｎは１以上の自然数）の心周期の中で１回のバルーンアシストが行われているかを示すアシスト比と、前記一心周期内での前記血圧波形のピークと、に基づいて、前記被験者自身の収縮期圧、前記被験者自身の拡張末期圧、ＩＡＢＰ（大動脈バルーンパンピング）のオーグメンテーション圧、ＩＡＢＰによってアシストされた収縮期圧、及びＩＡＢＰによってアシストされた拡張末期圧、の少なくとも一つを算出する算出ステップと、
を備える生体情報測定方法。
【請求項７】
コンピュータに、
被験者の心拍に関する心拍情報と、前記被験者に対して観血的な手法で測定された血圧波形と、が入力される入力ステップと、
前記心拍情報から心臓の一心周期を検出し、ｎ回（ｎは１以上の自然数）の心周期の中で１回のバルーンアシストが行われているかを示すアシスト比と、前記一心周期での前記血圧波形のピークと、基づいて、前記被験者自身の収縮期圧、前記被験者自身の拡張末期圧、ＩＡＢＰ（大動脈バルーンパンピング）のオーグメンテーション圧、ＩＡＢＰによってアシストされた収縮期圧、及びＩＡＢＰによってアシストされた拡張末期圧、の少なくとも一つを算出する算出ステップと、
を実行させる、プログラム。
【発明の詳細な説明】
【技術分野】
【０００１】
本発明は生体情報測定装置、生体情報測定方法、及びプログラムに関し、特に血圧測定機能を有する生体情報測定装置、生体情報測定方法、及びプログラムに関する。
【背景技術】
【０００２】
ＩＡＢＰ（Intra Aortic Balloon Pumping, 大動脈内バルーンパンピング）は、左心室補助の目的で広く用いられている補助循環装置である。ＩＡＢＰは、バルーンカテーテルを被験者の胸部下行大動脈に留置し、心臓の拍動に同期してバルーンを拡張／収縮させることによって心臓の圧補助を行う。これにより、心筋への酸素供給を増加させ、心筋の酸素消費量を減少させることができる。
【０００３】
例えば特許文献１には、ＩＡＢＰの治療タイミングを最適に設定するための機能を有する装置が開示されている。
【先行技術文献】
【特許文献】
【０００４】
【特許文献１】特表２００７−５０３８８３号公報
【非特許文献】
【０００５】
【非特許文献１】桜井、渡辺、「ＭＥ早わかりＱ＆Ａ３  血圧計・心拍出量計・血流計」、南江堂、p.33-92
【発明の概要】
【発明が解決しようとする課題】
【０００６】
ところでＩＡＢＰを使用中に生体情報モニタにより観血血圧を測定する場合がある。生体情報モニタは、一心周期内の血圧値の最大値、最小値、及び平均値を測定してモニタ上に表示する。しかしＩＡＢＰの使用時に生体情報モニタに表示される血圧値は、バルーンによってアシストされた血圧値となってしまう可能性が高い。
【０００７】
ＩＡＢＰによる治療効果を判断する場合やＩＡＢＰの離脱の判断をする場合、被験者の心臓に由来する血圧値（換言するとＩＡＢＰによってアシストされていない血圧値）を把握することが重要である。しかしながら上述のように生体情報モニタは、バルーンによってアシストされた血圧値を表示してしまう可能性が高い。そのため医師等は、ＩＡＢＰの治療効果の把握やＩＡＢＰの離脱判断を正確に行えないという問題があった。また医師等は、ＩＡＢＰがどの程度のアシストを行っているかについても正確に把握できない。すなわちＩＡＢＰ使用時の各血圧値を正確に把握できないという問題があった。
【０００８】
本発明は上述の課題に鑑みてなされたものであって、ＩＡＢＰの使用時であっても被験者の各血圧値を正確に把握することができる生体情報測定装置、生体情報測定方法、及びプログラムを提供することを主たる目的とする。
【課題を解決するための手段】
【０００９】
本発明にかかる生体情報測定装置の一態様は、
被験者の心拍に関する心拍情報を検出する拍動情報検出手段と、
前記被験者の血圧波形を観血的な手法で測定する血圧波形測定手段と、
前記心拍情報から心臓の一心周期を検出し、
ｎ回（ｎは１以上の自然数）の心周期の中で１回のバルーンアシストが行われているかを示すアシスト比と、前記一心周期での前記血圧波形のピークと、に基づいて、前記被験者自身の収縮期圧、前記被験者自身の拡張末期圧、ＩＡＢＰ（大動脈バルーンパンピング）のオーグメンテーション圧、ＩＡＢＰによってアシストされた収縮期圧、及びＩＡＢＰによってアシストされた拡張末期圧、の少なくとも一つを算出する算出手段と、を備えるものである。
【００１０】
本発明にかかる生体情報測定方法の一態様は、
被験者の心拍に関する心拍情報を検出する拍動情報検出ステップと、
前記被験者に観血的な手法を用いて取得した血圧信号を基に血圧波形を得る血圧測定ステップと、
前記心拍情報から心臓の一心周期を検出し、ｎ回（ｎは１以上の自然数）の心周期の中で１回のバルーンアシストが行われているかを示すアシスト比と、前記一心周期内での前記血圧波形のピークと、に基づいて、前記被験者自身の収縮期圧、前記被験者自身の拡張末期圧、ＩＡＢＰ（大動脈バルーンパンピング）のオーグメンテーション圧、ＩＡＢＰによってアシストされた収縮期圧、及びＩＡＢＰによってアシストされた拡張末期圧、の少なくとも一つを算出する算出ステップと、を備える、ものである。
【００１１】
本発明にかかるプログラムの一態様は、
コンピュータに、
被験者の心拍に関する心拍情報と、前記被験者に対して観血的な手法で測定された血圧波形と、が入力される入力ステップと、
前記心拍情報から心臓の一心周期を検出し、ｎ回（ｎは１以上の自然数）の心周期の中で１回のバルーンアシストが行われているかを示すアシスト比と、前記一心周期での前記血圧波形のピークと、基づいて、前記被験者自身の収縮期圧、前記被験者自身の拡張末期圧、ＩＡＢＰ（大動脈バルーンパンピング）のオーグメンテーション圧、ＩＡＢＰによってアシストされた収縮期圧、及びＩＡＢＰによってアシストされた拡張末期圧、の少なくとも一つを算出する算出ステップと、ものである。
【００１２】
ＩＡＢＰのバルーン動作時には一心周期内に２つの血圧極大値（上昇から下降に変化するピーク）が存在し、ＩＡＢＰのバルーンが動作していない時には一心周期内に１つの血圧極大値（上昇から下降に変化するピーク）が存在する。本発明は、一心周期を算出して、アシスト比と一心周期内の血圧波形のピークに応じて被験者自身の収縮期圧及び拡張末期圧を含む各血圧値を算出することができる。
【発明の効果】
【００１３】
本発明は、ＩＡＢＰの使用時であっても被験者の各血圧値を正確に把握することができる生体情報測定装置、生体情報測定方法、及びプログラムを提供することができる。
【図面の簡単な説明】
【００１４】
【図１】実施の形態１にかかる生体情報測定装置１の構成を示すブロック図である。
【図２】自己心拍血圧算出手段１３に入力される心電図（ＥＣＧ）と血圧波形を示す図である。
【図３】実施の形態１にかかる自己心拍血圧算出手段１３による一心周期の検出概念を示す図である。
【図４】実施の形態１にかかる自己心拍血圧算出手段１３による各圧値の算出方法を示す概念図である。
【図５】実施の形態１にかかる自己心拍血圧算出手段１３による各圧値の算出方法を示す概念図である。
【図６】実施の形態１にかかる出力手段１４が生成する出力画面の一例を示す図である。
【図７】実施の形態１にかかる出力手段１４が生成する出力画面の一例を示す図である。
【図８】実施の形態１にかかる出力手段１４が生成する出力画面の一例を示す図である。
【発明を実施するための形態】
【００１５】
＜実施の形態１＞
以下、図面を参照して本発明の実施の形態について説明する。図１は、本実施の形態にかかる生体情報測定装置１の構成を示すブロック図である。生体情報測定装置１は、心電図測定手段１１、血圧波形測定手段１２、自己心拍血圧算出手段１３、及び出力手段１４を有する。生体情報測定装置１は、観血的に血圧値を測定できるものであり、例えば生体情報モニタや観血式血圧計等である。以下の説明では、生体情報測定装置１の測定対象となる被験者には、ＩＡＢＰ（Intra Aortic Balloon Pumping, 大動脈内バルーンパンピング）が使用されているものとする。
【００１６】
心電図測定手段１１は、心電図電極、増幅回路等により構成される。心電図電極は、被験者の胸部等に装着される。心電図測定手段１１は、心電図電極から得られた心電図信号を基に心電図（ＥＣＧ：Electrocardiogram）を取得し、取得した心電図（ＥＣＧ）を自己心拍血圧算出手段１３に供給する。
【００１７】
血圧波形測定手段１２は、被験者の血圧波形を観血的に測定する。血圧波形測定手段１２は、血圧トランスデューサ、増幅回路、カテーテル、各種チューブ、三方コック等により構成される。医師等のユーザは、血圧の測定開始にあたって血圧値のゼロ点調整を行う。
【００１８】
動脈血圧を測定する場合、医師等は被験者の橈骨動脈にカテーテル（動脈針）を挿入する。なお静脈血圧の測定を行う場合、スワンガンツカテーテルを用いてもよい。血圧波形測定手段１２は、血圧トランスデューサによって血圧を血圧信号に変換し、当該血圧信号から得られる血圧波形を自己心拍血圧算出手段１３及び出力手段１４に供給する。なお血圧波形測定手段１２による血圧波形の測定処理は、一般的な観血式血圧測定処理（非特許文献１）と同様であればよい。
【００１９】
自己心拍血圧算出手段１３には、心電図（ＥＣＧ）と血圧波形が入力される。自己心拍血圧算出手段１３は、バルーンによってアシストされた血圧値に加え、ＩＡＢＰによってアシストされていない血圧値（被験者自身の心臓拍動による血圧値）を算出する。当該算出方法の詳細について説明する。
【００２０】
図２及び図３は、自己心拍血圧算出手段１３に入力された心電図（ＥＣＧ）と血圧波形を示す図である。図示するように、心電図（ＥＣＧ）には、１拍毎にＱＲＳ波が存在する。いわゆるＲ−Ｒ間隔は、一心周期（１回の心拍周期）に対応する。ＩＡＢＰを用いた治療では、被験者の心臓の収縮期にバルーンを縮小し、拡張期に大動脈弁が閉鎖すると同時にバルーンを拡張する。ＩＡＢＰのバルーン拡張／縮小は、通常は血圧（血圧波形）や心電図（ＥＣＧ）に同期させて行う。そのためＱＲＳ波の検出から一定時間内にある血圧波形のピーク点は、収縮期の開始位置とみなすことができる（図３における点線の丸囲み部分）。当該ピーク点は、血圧値が下降から上昇に切り替わる点である。当該ピーク点を超えると、血圧値が急激に上昇する。
【００２１】
自己心拍血圧算出手段１３は、心電図（ＥＣＧ）を解析してＱＲＳ波を検出する。そして自己心拍血圧算出手段１３は、ＱＲＳ波から一定時間内にある前述のピーク点を其々検出する。自己心拍血圧算出手段１３は、検出した各ピーク点の間隔を一心周期とみなす。図３は、自己心拍血圧算出手段１３による一心周期の検出概念を示す図である。図３の例では、ＩＡＢＰがいわゆる１：２アシスト（２回の心周期のうち１回の心周期でのバルーンアシスト）を行っている。ここで自己心拍血圧算出手段１３は、ＱＲＳ波の検出から一定時間内にある血圧下降側のピーク値を検出している。（血圧の高い側のピークではなく）血圧下降側のピーク値を用いることにより、自己心拍血圧算出手段１３は、ＩＡＢＰの動作タイミングによらず一心周期を正確に検出できる。
【００２２】
図４は、自己心拍血圧算出手段１３による各圧値の算出方法を示す概念図である。図４の例では、２つの極大値が存在する一心周期と１つの極大値が存在する一心周期が交互に現れている（アシスト比１：２）。
【００２３】
自己心拍血圧算出手段１３は、検出した各一心周期内の血圧値の極大値を検出する。極大値とは、血圧が上昇から下降に切り替わるピーク点である。不整脈やＤｉｃｒｏｔｉｃＷａｖｅ等のケースを除外すると、バルーンのアシストがない心周期の場合、極大値は一心周期内に１つ現れる。バルーンのアシストがある心周期の場合、極大値は一心周期内に２つ現れる。自己心拍血圧算出手段１３は、血圧値の上昇と下降を短い時間（所定時間内）で繰り返すピーク点（いわゆるノイズやＤｉｃｒｏｔｉｃ  Ｗａｖｅ）を極大値として取り扱わない。また自己心拍血圧算出手段１３は、ノイズ等の影響を除外するために前処理としてフィルタリング処理を行ってもよい。自己心拍血圧算出手段１３は、極大値の検出状況（一心周期内での極大値の検出回数）に応じてＩＡＢＰのアシスト比を推定する。例えば自己心拍血圧算出手段１３は、図４の血圧波形に対して、アシスト比が１：２であると推定する。
【００２４】
ＩＡＢＰのモードが１：ｎ（ｎは２以上）であると推定した場合、自己心拍血圧算出手段１３は、２つの極大値が現れる一心周期において１つ目の極大値を被験者自身の収縮期圧として検出する（図４参照）。また自己心拍血圧算出手段１３は、２つの極大値が現れる一心周期において２つ目の極大値をオーグメンテーション圧（ＩＡＢＰによってアシストされた圧値）として検出する（図４参照）。自己心拍血圧算出手段１３は、被験者の自己収縮期圧の直前に現れるピーク点（血圧値が下降から上昇に切り替わる点）を、被験者の自己拡張末期圧として検出する（図４参照）。なお自己拡張末期圧の検出方法はこれに限られない。例えば自己心拍血圧算出手段１３は、検出した被験者の自己収縮期圧から一定時間前の期間における血圧最低値を被験者の自己拡張期圧として検出してもよい（図４）。また自己心拍血圧算出手段１３は、オーグメンテーション圧の直後に現れるピーク点（血圧値が下降から上昇に切り替わる点）を、ＩＡＢＰによってアシストされた拡張末期圧として検出する（図４参照）。なお自己心拍血圧算出手段１３は、オーグメンテーション圧の検出タイミングから後の一定時間内における最低血圧値をアシストされた拡張末期圧として検出してもよい（図４参照）。また自己心拍血圧算出手段１３は、一心周期に１つしか現れない極大値をＩＡＢＰによってアシストされた収縮期圧として検出する。
【００２５】
ＩＡＢＰのアシスト比が１：１である場合の血圧値の算出方法を図５を参照して説明する。自己心拍血圧算出手段１３は、ＩＡＢＰのモードが１：１であると推定した場合、各心周期内の１つ目の極大値をアシストされた収縮期圧として検出する（図５参照）。自己心拍血圧算出手段１３は、各心周期内の２つ目の極大値をオーグメンテーション圧として検出する（図５参照）。自己心拍血圧算出手段１３は、アシストされた収縮期圧の直前に現れるピーク点（血圧値が下降から上昇に切り替わる点）をＩＡＢＰによってアシストされた拡張末期圧として検出する（図５参照）。これは、ＩＡＢＰのモードが１：１である場合には、各心周期においてバルーンによる心拍のアシストが常に行われているためである。なお、自己心拍血圧算出手段１３は、ＩＡＢＰのアシスト比が１：１と推定した場合、各心周期の最低血圧値をアシストされた拡張末期圧として検出することも可能である。また自己心拍血圧算出手段１３は、アシストされた収縮期圧の検出タイミングから前の一定時間内における最低血圧値をアシストされた拡張末期圧として検出することも可能である。
【００２６】
また自己心拍血圧算出手段１３は、自己収縮期圧とオーグメンテーション圧との間の時間も合わせて算出してもよい。この場合自己心拍血圧算出手段１３は、この算出時間（自己収縮期圧とオーグメンテーション圧との間の時間）と所定時間との差が一定範囲内にあるかを判定する。ここで所定時間とは、ＩＡＢＰ治療において自己収縮期圧からオーグメンテーション圧までの望ましい（治療効果が高い）時間である。そのため上述の差が一定範囲内にない場合、自己心拍血圧算出手段１３はＩＡＢＰの治療タイミング（バルーンの動作タイミング）が適切ではないと判定する。なお生体情報測定装置１が動脈圧（ＡＲＴ）も測定している場合、自己心拍血圧算出手段１３はＡＲＴの波形との比較によりＩＡＢＰの動作タイミングが適切かを判定してもよい。
【００２７】
なお生体情報測定装置１のユーザ（医師等）は、明示的にＩＡＢＰの使用モードであるか否かを示すモード情報を生体情報測定装置１に入力してもよい。ユーザは、生体情報測定装置１の入力手段（図示せず、例えば生体情報測定装置１の筐体上に設けられたボタンやタッチディスプレイ）を操作してモード情報を入力すればよい。ここでモード情報は、アシスト比の情報を含んでいてもよい。例えばアシスト比として１：３が入力された場合、自己心拍血圧算出手段１３は、ある一心周期において２つの極大値を検出した場合、続く２回の心周期では極大値を１つしか検出しないように制御する。このようにアシスト比が明示的に把握できていることにより、自己心拍血圧算出手段１３はより適切に各圧値を算出することができる。またアシスト比が明示的に入力されている場合、自己心拍血圧算出手段１３は、このアシスト比を利用して各圧値を算出してもよい。例えばアシスト比が１：１と指定されている場合、自己心拍血圧算出手段１３は、各心周期の最低血圧値をアシストされた拡張末期圧と決定してもよい。
【００２８】
なお、被験者の性質やノイズ等の影響により血圧値が細かく上昇と下降を繰り返すこともあり得る。そのため自己心拍血圧算出手段１３は、血圧が細かく上下することにより生じるピーク値（上昇と下降の切り替わり点）を極大値として取り扱わないように制御する。ＩＡＢＰを使用している場合であっても一心周期内に３つ以上の極大値が現れないものとして扱うことが適切である。換言すると自己心拍血圧算出手段１３は、一心周期内で３つ以上の極大値を検出してしまうと各圧値の検出精度が落ちてしまう。そのため自己心拍血圧算出手段１３は、適切なピーク値のみを極大値として検出する。
【００２９】
出力手段１４は、血圧波形及び自己心拍血圧算出手段１３が算出した各血圧値を出力する。出力手段１４は、血圧波形測定手段１２が取得した血圧波形を時系列グラフとして表示するとともに、自己心拍血圧算出手段１３が算出した各圧値を合わせて表示する。以下、出力手段１４による出力例について説明する。
【００３０】
第１の例として、出力手段１４は、ユーザから指定された収縮期圧及び拡張末期圧を数値として表示画面に表示する。ここで指定とは、被験者自身の血圧値であるか、それともバルーンアシストされた血圧値であるか、を意味する。図６は、表示画面の一例である。当該表示画面は、一般的な生体情報モニタの血圧表示画面と同様であるが、表示されている血圧値はユーザが選択した収縮期圧及び拡張期圧となる。例えばユーザが被験者自身の収縮期圧及び拡張末期圧を表示させることを指定した場合、出力手段１４は被験者自身の収縮期圧及び拡張末期圧を数値として表示する。
【００３１】
第２の出力例を図７を参照して説明する。出力手段１４は、被験者自身の収縮期圧及びオーグメンテーション圧を同時に表示してもよい。図７（Ａ）は、アシスト比が１：１の場合の表示画面を示す図である。図７（Ｂ）は、アシスト比が１：２の場合の表示画面を示す図である。図示するようにオーグメンテーション圧（ＡＵＧＭＥＮＴ）と被験者自身の収縮期圧（ＳＹＳ）が別々に表示されている。医師等は、この表示画面を参照することにより、被験者自身の収縮期圧をオーグメンテーション圧とは区別して把握することができる。
【００３２】
第３の出力例を図８を参照して説明する。出力手段１４は、自己心拍血圧算出手段１３が算出した全ての圧値（すなわち、被験者自身の収縮期圧及びオーグメンテーション圧、被験者自身の拡張末期圧、ＩＡＢＰによってアシストされた拡張末期圧、ＩＡＢＰによってアシストされた収縮期圧）やアシスト比を同一画面上に表示する。図８に示すように、表示画面には自己心拍血圧算出手段１３が検出した全ての圧値が表示されている。医師等は、当該画面を見ることによりＩＡＢＰの効果や、被験者自身の心拍の状態（血圧値の状態）等を把握することができる。
【００３３】
また出力手段１４は、被験者自身の収縮期圧からオーグメンテーション圧までの時間も合わせて表示してもよい。前述したように、この時間が適切ではない場合（短すぎる、又は長すぎる）、ＩＡＢＰの治療タイミング（バルーンの動作タイミング）が適切ではないと判定できる。出力手段１４は、自己心拍血圧算出手段１３によってＩＡＢＰの治療タイミング（バルーンの動作タイミング）が適切でないと判定された場合、注意を促すような表示や音声出力を行ってもよい。これにより医師等は、ＩＡＢＰの設定を変更して適切な治療を行うことができる。
【００３４】
続いて本実施の形態にかかる生体情報測定装置１の効果について説明する。上述のように生体情報測定装置１は、一心周期を算出して、一心周期での血圧極大値の検出状態に応じて被験者自身の収縮期圧、オーグメンテーション圧（ＩＡＢＰによってアシストされた血圧）、被験者自身の拡張末期圧を算出している。オーグメンテーション圧と区別された被験者自身の拡張末期圧を参照することにより、医師等はＩＡＢＰの治療効果やＩＡＢＰの離脱判断等を容易に行うことができる。
【００３５】
ＩＡＢＰのバルーン拡張・収縮は、一般的に血圧（血圧波形）や心電図（ＥＣＧ）に同期して行われる。また心電図（ＥＣＧ）のＲ波は、電圧変化の大きい点である。自己心拍血圧算出手段１３は、この心電図（ＥＣＧ）のＱＲＳ波の検出タイミングを基にすることにより、精度良く被験者自身の血圧値（収縮期圧、拡張末期圧）とＩＡＢＰのアシストを受けた血圧値（収縮期圧、拡張末期圧）を算出できる。
【００３６】
また出力手段１４は、血圧波形と共に算出した被験者自身の収縮期圧や拡張末期圧を表示画面上に表示している（図６〜図８）。これにより医師等は、視覚的にＩＡＢＰ使用中の被験者自身の収縮期圧や拡張末期圧を認識できるようになる。被験者自身の収縮期圧や拡張末期圧を認識できることにより、医師等はＩＡＢＰの離脱の可否やＩＡＢＰの治療効果を明確に把握することができる。
【００３７】
自己心拍血圧算出手段１３は、明示的に指定されたモード情報（ＩＡＢＰを使用しているか否か、及びアシスト比の情報）を用いて各血圧値を算出することが好ましい。アシスト比を事前に認識できることにより、自己心拍血圧算出手段１３はどのタイミングで一心周期内に２回の極大値が現れるかが想定できる。これにより自己心拍血圧算出手段１３は、誤検出をする可能性を大幅に減らすことができる。
【００３８】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００３９】
上述の例では、心電図（ＥＣＧ）を用いて一心周期を算出したが、必ずしもこれに限られない。心電図（ＥＣＧ）は、心臓の拍動（心拍）に関する情報（心拍情報）を取得するために用いられている。そのため被験者の心拍に関する心拍情報を取得できる構成であれば、心電図測定手段１１以外の構成を採用してもよい。例えばＳｐＯ２を用いて脈波を検出し、当該脈波から一心周期を推定し、上述の処理を行えばよい。すなわち生体情報測定装置１は、被験者の心拍情報（図１例では心電図）を取得する拍動情報検出手段を有する構成であればよく、心電図測定手段１１は拍動情報検出手段の一態様である。
【００４０】
また、従来の技術ではＩＡＢＰ使用時の血圧値の測定が深く検討されていなかったため、生体情報測定装置１は被験者自身の収縮期圧及び拡張末期血圧の少なくとも一方を上述の手法を用いて算出するだけでも十分に価値がある。ひいては生体情報測定装置１は、医師等の指定（例えばボタン指定）に応じて必要な血圧値を算出して出力する構成であればよい。換言すると生体情報測定装置１は、被験者自身の収縮期圧、被験者自身の拡張末期圧、ＩＡＢＰのオーグメンテーション圧、ＩＡＢＰによってアシストされた収縮期圧、ＩＡＢＰによってアシストされた拡張末期圧、のうち少なくとも一つを算出するような構成であればいかなる構成であってもよい。例えば生体情報測定装置１は一心周期内での２つ目の極大値のみを検出してオーグメンテーション圧のみを検出するような構成であってもよい。
【００４１】
上述の自己心拍血圧算出手段１３及び出力手段１４の処理は、生体情報測定装置１内で動作するコンピュータプログラムとして実現することができる。すなわち生体情報測定装置１は、一般的なコンピュータが備えるＣＰＵ（Central Processing Unit）、メモリ装置の構成も備えているものとする。
【００４２】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００４３】
１  生体情報測定装置
１１  心電図測定手段
１２  血圧波形測定手段
１３  自己心拍血圧算出手段
１４  出力手段
【図１】
2018057880.tif 000003
【図２】
2018057880.tif 000004
【図３】
2018057880.tif 000005
【図４】
2018057880.tif 000006
【図５】
2018057880.tif 000007
【図６】
2018057880.tif 000008
【図７】
2018057880.tif 000009
【図８】
2018057880.tif 000010